(57)【要約】【課題】ＥＭＭメッセージ運用を行うデジタル放送を再送信する際に、元の信号と異なる限定受信方式を用いる場合にも、従来と同等の自動表示メッセージ及びメールの運用を可能とするＥＭＭメッセージ配信システムを提供する。【解決手段】送出側装置１００では、ＥＭＭ個別メッセージで配信される情報を、ＣＡＴ編集機能１０５、ＥＭＭ個別メッセージ削除機能１０７、ＥＭＭ個別メッセージ追加機能１０９およびＴＳ送出機能１１２によって、受信方式に対応したＥＭＭ個別メッセージにのせかえて送信し、受信側装置２００では、受信機能２０１、ＣＡＴ処理機能２０２、ＥＭＭ個別メッセージ処理機能２０４およびＥＭＭ共通メッセージ処理機能２０６によってＣＡＴ処理およびＥＭＭメッセージ処理を行い、初期設定時には、初期接続機能２０７が、デフォルトメッセージ情報サーバ５００に接続してデフォルトメッセージ情報として取得する。【選択図】図１
2010246017.tif 000002
【特許請求の範囲】
【請求項１】
送出側装置と受信側装置を備え、デジタル放送を第１のネットワークを介して伝送するデジタル放送再送信におけるＥＭＭメッセージ配信システムであって、
前記送出側装置は、
ＣＡＴ（Ｃｏｎｄｉｔｉｏｎａｌ  Ａｃｃｅｓｓ  Ｔａｂｌｅ）中に配置される記述子のＣＡ＿ｓｙｓｔｅｍ＿ＩＤについて、元の限定受信方式識別の値と再送信後に用いる限定受信方式識別の値とが設定された第１の設定手段を有し、デジタル放送波の受信又は番組コンテンツの再生により得られるＴＳ（トランスポートストリーム）を入力とし、
前記入力されたＴＳに含まれるＣＡＴ中の限定受信方式記述子のＣＡ＿ｓｙｓｔｅｍ＿ＩＤが、前記第１の設定手段に設定された元の限定受信方式識別の値である場合に、当該限定受信方式記述子中のＣＡ＿ＰＩＤを通知信号として出力し、前記ＴＳに含まれるＣＡＴ中の限定受信方式記述子、ＣＡサービス記述子のＣＡ＿ｓｙｓｔｅｍ＿ＩＤが、前記第１の設定手段に設定された元の限定受信方式識別の値である場合に、当該限定受信方式記述子、ＣＡサービス記述子のＣＡ＿ｓｙｓｔｅｍ＿ＩＤを、前記第１の設定手段に設定された再送信後に用いる限定受信方式識別の値へ書き換えて、当該ＴＳを出力するＣＡＴ編集手段と、
ＥＭＭ（Ｅｎｔｉｔｌｅｍｅｎｔ  Ｍａｎａｇｅｍｅｎｔ  Ｍｅｓｓａｇｅ）個別メッセージを特定するための監視対象ＰＩＤが記憶される第１の記憶手段を有し、前記ＣＡＴ編集手段からのＴＳおよび通知信号を入力とし、前記入力されたＴＳから、前記第１の記憶手段に記憶されている監視対象ＰＩＤにより特定されるＥＭＭ個別メッセージを削除し、当該ＴＳを出力するＥＭＭ個別メッセージ削除手段と、
再送信後に用いるＥＭＭ個別メッセージのＴＳパケットが生成・蓄積される個別情報ＴＳ生成・蓄積手段と、ＥＭＭ個別メッセージを多重化する際のＰＩＤが記憶される第２の記憶手段を有し、前記ＥＭＭ個別メッセージ削除手段からのＴＳおよび前記ＣＡＴ編集手段からの通知信号を入力とし、前記入力されたＴＳに対して、前記個別情報ＴＳ生成・蓄積手段に蓄積されたＥＭＭ個別メッセージのＴＳパケットを、前記第２の記憶手段に記憶されたＰＩＤによって多重化し、該ＴＳを出力するＥＭＭ個別メッセージ追加手段とを備え、
前記ＥＭＭ個別メッセージ追加手段から出力されるＴＳを前記第１のネットワークへ送出し、
前記受信側装置は、
ＣＡＴ中に配置される記述子のＣＡ＿ｓｙｓｔｅｍ＿ＩＤについて、再送信後に用いる限定受信方式識別の値が設定された第２の設定手段を有し、前記第１のネットワークを介して送出側装置から送出されたＴＳを受信したＴＳが入力され、
前記入力されたＴＳに含まれるＣＡＴ中の限定受信方式記述子のＣＡ＿ｓｙｓｔｅｍ＿ＩＤが、前記第２の設定手段に設定された再送信後に用いる限定受信方式識別の値である場合に、当該限定受信方式記述子中のＣＡ＿ＰＩＤを出力し、前記入力されたＴＳに含まれるＣＡＴ中のＣＡサービス記述子のＣＡ＿ｓｙｓｔｅｍ＿ＩＤが、前記第２の設定手段に設定された再送信後に用いる限定受信方式識別の値である場合に、当該ＣＡサービス記述子中の情報（事業体識別、猶予期間、サービス識別）を出力するＣＡＴ処理手段を備え、
前記ＣＡＴ処理手段から出力されたＴＳおよび限定受信方式記述子中のＣＡ＿ＰＩＤ、ＣＡサービス記述子中の情報に基づいて、ＥＭＭメッセージ処理および表示制御を行うことを特徴とするデジタル放送再送信におけるＥＭＭメッセージ配信システム。
【請求項２】
前記送出側装置の外部に、デフォルトメッセージ情報を第２のネットワークを介して前記受信側装置に提供するデフォルトメッセージ情報サーバが設けられ、
前記受信側装置は、前記デフォルトメッセージ情報サーバに接続するための接続情報およびＥＭＭ個別メッセージのデータ構造の各項目に相当する値が設定された第３の設定手段と、デフォルトメッセージ情報を記憶する第３の記憶手段を有し、外部からのデフォルトメッセージ情報取得指示を受けたときに、デフォルトメッセージ情報を取得し、該情報に基づいてＥＭＭ個別メッセージを生成する初期接続手段を備えたことを特徴とする請求項１に記載のデジタル放送再送信におけるＥＭＭメッセージ配信システム。
【請求項３】
デジタル放送波の受信又は番組コンテンツの再生により得られるＴＳ（トランスポートストリーム）を入力とするＣＡＴ編集手段、ＥＭＭ個別メッセージ削除手段およびＥＭＭ個別メッセージ追加手段とを備えた送出側装置から、ＣＡＴ処理手段を備えた受信側装置にデジタル放送を第１のネットワークを介して伝送するデジタル放送再送信におけるＥＭＭメッセージ配信方法であって、
前記送出側装置のＣＡＴ編集手段は、ＣＡＴ（Ｃｏｎｄｉｔｉｏｎａｌ  Ａｃｃｅｓｓ  Ｔａｂｌｅ）中に配置される記述子のＣＡ＿ｓｙｓｔｅｍ＿ＩＤについて、元の限定受信方式識別の値と再送信後に用いる限定受信方式識別の値とが設定された第１の設定手段を有し、
前記ＣＡＴ編集手段が、前記入力されたＴＳに含まれるＣＡＴ中の限定受信方式記述子のＣＡ＿ｓｙｓｔｅｍ＿ＩＤが、前記第１の設定手段に設定された元の限定受信方式識別の値である場合に、当該限定受信方式記述子中のＣＡ＿ＰＩＤを通知信号として出力し、前記ＴＳに含まれるＣＡＴ中の限定受信方式記述子、ＣＡサービス記述子のＣＡ＿ｓｙｓｔｅｍ＿ＩＤが、前記第１の設定手段に設定された元の限定受信方式識別の値である場合に、当該限定受信方式記述子、ＣＡサービス記述子のＣＡ＿ｓｙｓｔｅｍ＿ＩＤを、前記第１の設定手段に設定された再送信後に用いる限定受信方式識別の値へ書き換えて、当該ＴＳを出力するステップと、
前記ＥＭＭ個別メッセージ削除手段は、ＥＭＭ（Ｅｎｔｉｔｌｅｍｅｎｔ  Ｍａｎａｇｅｍｅｎｔ  Ｍｅｓｓａｇｅ）個別メッセージを特定するための監視対象ＰＩＤが記憶される第１の記憶手段を有し、前記ＣＡＴ編集手段からのＴＳおよび通知信号を入力とし、
前記ＥＭＭ個別メッセージ削除手段が、前記入力されたＴＳから、前記第１の記憶手段に記憶されている監視対象ＰＩＤにより特定されるＥＭＭ個別メッセージを削除し、当該ＴＳを出力するステップと、
前記ＥＭＭ個別メッセージ追加手段は、再送信後に用いるＥＭＭ個別メッセージのＴＳパケットが生成・蓄積される個別情報ＴＳ生成・蓄積手段と、ＥＭＭ個別メッセージを多重化する際のＰＩＤが記憶される第２の記憶手段を有し、前記ＥＭＭ個別メッセージ削除手段からのＴＳおよび前記ＣＡＴ編集手段からの通知信号を入力とし、
前記ＥＭＭ個別メッセージ追加手段が、前記入力されたＴＳに対して、前記個別情報ＴＳ生成・蓄積手段に蓄積されたＥＭＭ個別メッセージのＴＳパケットを、前記第２の記憶手段に記憶されたＰＩＤによって多重化し、該ＴＳを出力するステップと、
前記送出側装置が、前記ＥＭＭ個別メッセージ追加手段から出力されるＴＳを前記第１のネットワークへ送出するステップと、
前記受信側装置のＣＡＴ処理手段は、ＣＡＴ中に配置される記述子のＣＡ＿ｓｙｓｔｅｍ＿ＩＤについて、再送信後に用いる限定受信方式識別の値が設定された第２の設定手段を有し、前記第１のネットワークを介して送出側装置から送出されたＴＳを受信したＴＳが入力され、
前記ＣＡＴ処理手段が、前記入力されたＴＳに含まれるＣＡＴ中の限定受信方式記述子のＣＡ＿ｓｙｓｔｅｍ＿ＩＤが、前記第２の設定手段に設定された再送信後に用いる限定受信方式識別の値である場合に、当該限定受信方式記述子中のＣＡ＿ＰＩＤを出力する処理を行うステップと、
前記入力されたＴＳに含まれるＣＡＴ中のＣＡサービス記述子のＣＡ＿ｓｙｓｔｅｍ＿ＩＤが、前記第２の設定手段に設定された再送信後に用いる限定受信方式識別の値である場合に、当該ＣＡサービス記述子中の情報を出力するステップと、
前記処理後のＴＳを出力するステップと、
前記受信側装置が、前記ＣＡＴ処理手段から出力されたＴＳおよび限定受信方式記述子中のＣＡ＿ＰＩＤ、ＣＡサービス記述子中の情報に基づいて、ＥＭＭメッセージ処理および表示制御を行うステップとを備えたことを特徴とするデジタル放送再送信におけるＥＭＭメッセージ配信方法。
【請求項４】
前記送出側装置の外部に、デフォルトメッセージ情報を第２のネットワークを介して前記受信側装置に提供するデフォルトメッセージ情報サーバが設けられ、
前記受信側装置は、前記デフォルトメッセージ情報サーバに接続するための接続情報およびＥＭＭ個別メッセージのデータ構造の各項目に相当する値が設定された第３の設定手段と、デフォルトメッセージ情報を記憶する第３の記憶手段を有した初期接続手段を備え、
前記初期接続手段が、外部からのデフォルトメッセージ情報取得指示を受けたときに、前記第３の記憶手段にデフォルトメッセージ情報が保持されていない場合に、前記第３の設定手段に設定された接続情報を用いて前記デフォルトメッセージ情報サーバと接続し、デフォルトメッセージ情報を取得するステップと、
前記取得されたデフォルトメッセージ情報を前記第３の記憶手段に保持するステップと、
前記第３の設定手段に設定されているＥＭＭ個別メッセージのデータ構造の各項目に相当する値に、前記第３の記憶手段に保存されているデフォルトメッセージ情報中の各項目に相当する情報を上書きすることでＥＭＭ個別メッセージを生成するステップとを備えたことを特徴とする請求項３に記載のデジタル放送再送信におけるＥＭＭメッセージ配信方法。
【請求項５】
コンピュータを請求項１又は２に記載の各手段として機能させることを特徴とするデジタル放送再送信におけるＥＭＭメッセージ配信プログラム。
【発明の詳細な説明】
【技術分野】
【０００１】
本発明は、映像、音声、字幕、データ放送、ＰＳＩ（Ｐｒｏｇｒａｍ  Ｓｐｅｃｉｆｉｃ  Ｉｎｆｏｒｍａｔｉｏｎ）／ＳＩ（Ｓｅｒｖｃｉｅ  Ｉｎｆｏｒｍａｔｉｏｎ）、ＥＭＭ（Ｅｎｔｉｔｌｅｍｅｎｔ  Ｍａｎａｇｅｍｅｎｔ  Ｍｅｓｓａｇｅ）メッセージなどから構成されるデジタル放送を再送信する際に、中継の段階で元の信号とは異なる限定受信方式に変更する場合においても、自動表示メッセージ及びメールの配信を可能とするための方法に関するものである。
【背景技術】
【０００２】
デジタル放送では、コンテンツ提供者の著作権保護、有料放送サービスの実現のため、視聴権限を持つ特定の受信者のみ視聴を許可する限定受信方式が利用されている。放送はもともと同時多数に同じ情報を伝達する役割を担っているが、限定受信方式を用いることにより、受信対象を限定し、個別に情報を伝達することを可能としている。例えば、ＢＳデジタル放送では、非特許文献１（ＡＲＩＢ  ＳＴＤ−Ｂ２５）で規定される限定受信方式を採用しており、ＥＭＭメッセージと呼ばれる情報を用いることで各受信機個別にメッセージを伝達する機能を運用可能としている。
【０００３】
このような各受信機個別のメッセージ伝達機能においては、個々にまったく異なる情報のみを送ることも考えられるが、例えば放送内容に関するお知らせを限定された視聴者へ伝える等、定型文を用いることで伝送効率を上げることができる。そのため、ＥＭＭメッセージは、全受信機に共通に送るＥＭＭ共通メッセージと、各受信機に個別に送るＥＭＭ個別メッセージの二つから構成される。
【０００４】
また、このメッセージ伝達機能は、その表示形態によって自動表示メッセージとメールに分類されている。自動表示メッセージは、番組視聴中に自動的にスーパーインポーズで表示されるものであり、メールは番組の視聴とは独立に受信機機能としてユーザー個別に選択的に表示するものである。伝達される情報が自動表示メッセージ用の情報であるかメール用の情報であるかは、ＥＭＭ個別メッセージ中のヘッダ情報（プロトコル番号）により判断を行なう。なお、ＥＭＭ個別メッセージはその情報を暗号化して伝送することも可能である（非特許文献１（ＡＲＩＢ  ＳＴＤ−Ｂ２５  ５．０版  第１部３．２．５．２ＥＭＭ個別メッセージ）参照）。
【０００５】
なお、自動表示メッセージにおいては、必ずしもＥＭＭ個別メッセージを受信した後にのみ表示するだけではなく、初期状態で全受信機において一律同じ自動表示メッセージの表示を行なう運用も想定される。ＢＳデジタル放送においては、ＩＣカードを用いて限定受信方式を実現しているため、ＩＣカードに事前にＥＭＭ個別メッセージに相当する情報を埋め込むことで初期状態での同一自動表示メッセージ表示が可能である（非特許文献２（ＡＲＩＢ  ＴＲ−Ｂ１５  ４．４版  第五編  ５．１５．２  猶予期間の運用）参照）。
【０００６】
なお、本発明で利用するＣＡＴ（Ｃｏｎｄｉｔｉｏｎａｌ  Ａｃｃｅｓｓ  Ｔａｂｌｅ）および限定受信方式記述子のデータ構造は、非特許文献３（ＡＲＩＢ  ＳＴＤ−Ｂ１０  ４．６版  第２部  番組配列情報における基本情報のデータ構造と定義参照）に記載されている。
【先行技術文献】
【非特許文献】
【０００７】
【非特許文献１】「デジタル放送におけるアクセス制御方式」、ＡＲＩＢ  ＳＴＤ−Ｂ２５  ５．０版  平成１９年３月１４日、第１部  ３．２．５．２  ＥＭＭ個別メッセージ、ｐｐ．３１〜ｐｐ．３６、４．７．３  ＥＭＭメッセージ受信関連、ｐｐ．１４５
【非特許文献２】「ＢＳ／広帯域ＣＳデジタル放送運用規定」、ＡＲＩＢ  ＴＲ−Ｂ１５  ４．４版  平成２０年６月６日、第五編  ５．９  ＥＭＭ、ｐｐ．５−４７〜ｐｐ．５−４９、５．１５．２  猶予期間の運用、ｐｐ．５−５８
【非特許文献３】「デジタル放送に使用する番組配列情報」、ＡＲＩＢ  ＳＴＤ−Ｂ１０  ４．６版  平成２０年６月６日、第２部  番組配列情報における基本情報のデータ構造と定義  ６．２．２  ＣＡ識別記述子、ｐｐ．９９
【発明の概要】
【発明が解決しようとする課題】
【０００８】
自動表示メッセージ及びメールを運用するデジタル放送を再送信する際に、元の限定受信方式と異なる限定受信方式を採用した場合、再送信信号を受信する受信機は必ずしも元の限定受信方式に対応していないため、元の限定受信方式で暗号化されたＥＭＭ個別メッセージを解読することができない。そのため、変更無しに元のデジタル放送で伝送されるＥＭＭメッセージを再送信する場合に、自動表示メッセージ及びメールを元のデジタル放送と同等に受信することが不可能である。
【０００９】
また、自動表示メッセージにおいて、初期状態での同一自動表示メッセージ表示を、ＥＭＭ個別メッセージに相当する情報を受信機やＩＣカードへの事前埋め込みで実現する場合、その変更が困難であり、柔軟な運用変更ができない。
【００１０】
本発明は上記課題を解決するものであり、その目的は、ＥＭＭメッセージ運用を行うデジタル放送を再送信する際に、元の信号と異なる限定受信方式を用いる場合にも、従来と同等の自動表示メッセージ及びメールの運用を可能とし、また、初期状態での同一自動表示メッセージ表示の柔軟な運用変更を可能とすることができるデジタル放送再送信におけるＥＭＭメッセージ配信システム、方法、プログラムを提供することにある。
【課題を解決するための手段】
【００１１】
本発明は、映像、音声、字幕、データ放送、ＰＳＩ／ＳＩ、ＥＭＭメッセージなどから構成されるデジタル放送のＴＳ（Ｔｒａｎｓｐｏｒｔ  Ｓｔｒｅａｍ：ＭＰＥＧ−２  Ｓｙｓｔｅｍｓに定義される多重信号形式）を再送信する際に異なる限定受信方式を採用する場合において、中継の段階で元の放送信号中のＥＭＭ個別メッセージを削除し、別途再送信後に用いる限定受信方式に対応したＥＭＭ個別メッセージを新たに生成し、追加する。
【００１２】
この際、ＥＭＭ個別メッセージは、元の放送信号に含まれるＥＭＭ共通メッセージの内容を事前に確認し、その内容に合わせた運用を行なう。再送信時に生成・追加するＥＭＭ個別メッセージは、暗号化せず平文のみで運用することも、再送信後に用いる限定受信方式に対応した鍵で暗号化することも可能である。なお、ＥＭＭ個別メッセージであることを判断する情報を示すものとして、ｔａｂｌｅ＿ｉｄ及びｔａｂｌｅ＿ｉｄ＿ｅｘｔｅｎｓｉｏｎの値は、それぞれ送信側・受信側にて同一の値を規定する。
【００１３】
なお、再送信後に用いる限定受信方式に対応したＥＭＭ個別メッセージは、限定受信方式の違いによりＣＡＳ（Ｃｏｎｄｅｉｔｉｏｎａｌ  Ａｃｃｅｓｓ  Ｓｙｓｔｅｍ）クライアント識別のサイズが放送信号中のＥＭＭ個別メッセージと異なる場合があるが、その他の自動表示メッセージ及びメールを実現するための情報については同一の情報を伝送・利用することで、同様の処理により自動表示メッセージ及びメールが実現可能となる。本発明で用いるＥＭＭ個別メッセージのデータ構造を図９、図１０に示す。尚、図１０のメッセージコード領域は非特許文献２のＡＲＩＢ  ＳＴＤ−Ｂ２５に規定されている。
【００１４】
また、ＥＭＭメッセージの特定に必要なＰＩＤ（Ｐａｃｋｅｔ  Ｉｄｅｎｔｉｆｉｃａｔｉｏｎ：ＴＳ中から各情報を特定するための識別番号）を伝達するＣＡＴ（Ｃｏｎｄｉｔｉｏｎａｌ  Ａｃｃｅｓｓ  Ｔａｂｌｅ）中に配置される記述子のＣＡ＿ｓｙｓｔｅｍ＿ＩＤについても、再送信後に用いる限定受信方式の値に書き換えを行う。本発明で利用するＣＡＴのデータ構造を図１１に、限定受信方式記述子及びＣＡサービス記述子のデータ構造を図１２に示す。
【００１５】
尚、図１１のＣＡＴのデータ構造は非特許文献３のＡＲＩＢ  ＳＴＤ−Ｂ１０に規定されている。また、図１２（ａ）の限定受信方式記述子は非特許文献３のＡＲＩＢ  ＳＴＤ−Ｂ１０に規定され、図１２（ｂ）のＣＡサービス記述子は非特許文献２のＡＲＩＢ  ＳＴＤ−Ｂ２５に規定されている。
【００１６】
加えて、初期状態での同一自動表示メッセージ表示を行なう場合において、受信機が初期状態で表示するための自動表示メッセージ用のＥＭＭ個別メッセージ相当の情報を事前に埋め込むだけでなく、その情報を初期設定時にデフォルトメッセージ情報として取得・設定可能なように配信する。デフォルトメッセージ情報は、ＥＭＭ個別メッセージ相当の情報をＸＭＬ（Ｅｘｔｅｎｓｉｂｌｅ  Ｍａｒｋｕｐ  Ｌａｎｇｕａｇｅ）形式で定義し、ＨＴＴＰ（Ｈｙｐｅｒｔｅｘｔ  Ｔｒａｎｓｆｅｒ  Ｐｒｏｔｏｃｏｌ）やＨＴＴＰＳ（Ｈｙｐｅｒｔｅｘｔ  Ｔｒａｎｓｆｅｒ  Ｐｒｏｔｏｃｏｌ  ｏｖｅｒ  Ｓｅｃｕｒｅ  Ｓｏｃｋｅｔ  Ｌａｙｅｒ）で配信することや、通常のＥＭＭ個別メッセージと同様のデータ構造のある特殊なＣＡＳクライアント識別宛のＥＭＭ個別メッセージ（例えばビット列が全て０のＣＡＳクライアント識別宛）を全受信機向けのＥＭＭ個別メッセージとして送信側・受信側にて定義し、通常のＥＭＭメッセージと同様に配信することも考えられる。
【００１７】
受信機は初期設定時にいずれかの方法にてデフォルトメッセージ情報を取得・保持し、初期状態での（自ＣＡＳクライアント識別宛のＥＭＭ個別メッセージを一度も受信していない状態での）自動表示メッセージの表示に用いる。なお、この際に必ずしもＥＭＭ個別メッセージの全ての情報をデフォルトメッセージ情報として配信する必要は無く、配信される情報以外については、受信機側で事前に定められた値が配置されているものとして動作を行なうことができる。本発明で用いるＸＭＬ形式で定義されるデフォルトメッセージ情報の例を図１３に示す。
【００１８】
本発明のデジタル放送再送信におけるＥＭＭメッセージ配信システムは、送出側装置と受信側装置を備え、デジタル放送を第１のネットワークを介して伝送するデジタル放送再送信におけるＥＭＭメッセージ配信システムであって、
前記送出側装置は、
ＣＡＴ（Ｃｏｎｄｉｔｉｏｎａｌ  Ａｃｃｅｓｓ  Ｔａｂｌｅ）中に配置される記述子のＣＡ＿ｓｙｓｔｅｍ＿ＩＤについて、元の限定受信方式識別の値と再送信後に用いる限定受信方式識別の値とが設定された第１の設定手段を有し、デジタル放送波の受信又は番組コンテンツの再生により得られるＴＳ（トランスポートストリーム）を入力とし、
前記入力されたＴＳに含まれるＣＡＴ中の限定受信方式記述子のＣＡ＿ｓｙｓｔｅｍ＿ＩＤが、前記第１の設定手段に設定された元の限定受信方式識別の値である場合に、当該限定受信方式記述子中のＣＡ＿ＰＩＤを通知信号として出力し、前記ＴＳに含まれるＣＡＴ中の限定受信方式記述子、ＣＡサービス記述子のＣＡ＿ｓｙｓｔｅｍ＿ＩＤが、前記第１の設定手段に設定された元の限定受信方式識別の値である場合に、当該限定受信方式記述子、ＣＡサービス記述子のＣＡ＿ｓｙｓｔｅｍ＿ＩＤを、前記第１の設定手段に設定された再送信後に用いる限定受信方式識別の値へ書き換えて、当該ＴＳを出力するＣＡＴ編集手段と、
ＥＭＭ（Ｅｎｔｉｔｌｅｍｅｎｔ  Ｍａｎａｇｅｍｅｎｔ  Ｍｅｓｓａｇｅ）個別メッセージを特定するための監視対象ＰＩＤが記憶される第１の記憶手段を有し、前記ＣＡＴ編集手段からのＴＳおよび通知信号を入力とし、前記入力されたＴＳから、前記第１の記憶手段に記憶されている監視対象ＰＩＤにより特定されるＥＭＭ個別メッセージを削除し、当該ＴＳを出力するＥＭＭ個別メッセージ削除手段と、
再送信後に用いるＥＭＭ個別メッセージのＴＳパケットが生成・蓄積される個別情報ＴＳ生成・蓄積手段と、ＥＭＭ個別メッセージを多重化する際のＰＩＤが記憶される第２の記憶手段を有し、前記ＥＭＭ個別メッセージ削除手段からのＴＳおよび前記ＣＡＴ編集手段からの通知信号を入力とし、前記入力されたＴＳに対して、前記個別情報ＴＳ生成・蓄積手段に蓄積されたＥＭＭ個別メッセージのＴＳパケットを、前記第２の記憶手段に記憶されたＰＩＤによって多重化し、該ＴＳを出力するＥＭＭ個別メッセージ追加手段とを備え、
前記ＥＭＭ個別メッセージ追加手段から出力されるＴＳを前記第１のネットワークへ送出し、
前記受信側装置は、
ＣＡＴ中に配置される記述子のＣＡ＿ｓｙｓｔｅｍ＿ＩＤについて、再送信後に用いる限定受信方式識別の値が設定された第２の設定手段を有し、前記第１のネットワークを介して送出側装置から送出されたＴＳを受信したＴＳが入力され、
前記入力されたＴＳに含まれるＣＡＴ中の限定受信方式記述子のＣＡ＿ｓｙｓｔｅｍ＿ＩＤが、前記第２の設定手段に設定された再送信後に用いる限定受信方式識別の値である場合に、当該限定受信方式記述子中のＣＡ＿ＰＩＤを出力し、前記入力されたＴＳに含まれるＣＡＴ中のＣＡサービス記述子のＣＡ＿ｓｙｓｔｅｍ＿ＩＤが、前記第２の設定手段に設定された再送信後に用いる限定受信方式識別の値である場合に、当該ＣＡサービス記述子中の情報（事業体識別、猶予期間、サービス識別）を出力するＣＡＴ処理手段を備え、
前記ＣＡＴ処理手段から出力されたＴＳおよび限定受信方式記述子中のＣＡ＿ＰＩＤ、ＣＡサービス記述子中の情報に基づいて、ＥＭＭメッセージ処理および表示制御を行うことを特徴としている。
【発明の効果】
【００１９】
（１）請求項１〜５に記載の発明によれば、ＥＭＭメッセージ運用を行なうデジタル放送を再送信する際に、異なる限定受信方式を用いる場合にも、従来と同等の自動表示メッセージ及びメールの運用を可能とすることができる。
（２）請求項２、４に記載の発明によれば、ＥＭＭメッセージ運用を行うデジタル放送を配信する際において、初期状態での同一自動表示メッセージ表示の柔軟な運用変更が可能となる。
【図面の簡単な説明】
【００２０】
【図１】本発明の実施形態例の機能ブロック図。
【図２】本発明のＣＡＴ編集機能での処理を示すフローチャート。
【図３】本発明のＥＭＭ個別メッセージ削除機能での処理を示すフローチャート。
【図４】本発明のＥＭＭ個別メッセージ追加機能での処理を示すフローチャート。
【図５】本発明の初期接続機能での処理を示すフローチャート。
【図６】本発明のＣＡＴ処理機能での処理を示すフローチャート。
【図７】本発明の実施例１のシステム構成図。
【図８】本発明の実施例２のシステム構成図。
【図９】本発明で利用するＥＭＭ個別メッセージのデータ構造を示す説明図。
【図１０】本発明で利用するＥＭＭ個別メッセージのデータ構造を示す説明図。
【図１１】本発明で利用するＣＡＴのデータ構造を示す説明図。
【図１２】本発明で利用する記述子のデータ構造を示す説明図。
【図１３】本発明で利用するデフォルトメッセージ情報の構造を示す説明図。
【発明を実施するための形態】
【００２１】
以下、図面を参照しながら本発明の実施の形態を説明するが、本発明は下記の実施形態例に限定されるものではない。
【００２２】
図１に、本実施形態例のデジタル放送再送信におけるＥＭＭメッセージ配信システム全体の機能ブロック図を示す。図１において、１００は送出側装置、２００は受信側装置、３００は送出側装置１００と受信側装置２００を結ぶデジタル放送網／ＩＰネットワーク（第１のネットワーク）である。
【００２３】
５００は、送出側装置１００の外部に設けられ、デフォルトメッセージ情報をＩＰネットワーク（第２のネットワーク）４００を介して受信側装置２００に提供するデフォルトメッセージ情報サーバである。５０１は前記サーバ５００に保存されたデフォルトメッセージ情報を示している。
【００２４】
送出側装置１００内の１０１は番組コンテンツであり、１０２は番組コンテンツ１０１を再生する再生手段の再生機能を示している。１０３は放送波を受信するアンテナであり、１０４はアンテナ１０３で受信された放送波をデジタル信号に変換するチューナーである。
【００２５】
前記再生機能１０２またはチューナー１０４から入力されたＴＳに含まれるＣＡＴ中の限定受信方式記述子のＣＡ＿ｓｙｓｔｅｍ＿ＩＤが、第１の設定手段の設定値１０６に設定された元の限定受信方式識別の値である場合に、当該限定受信方式記述子中のＣＡ＿ＰＩＤを通知信号として出力し、前記ＴＳに含まれるＣＡＴ中の限定受信方式記述子、ＣＡサービス記述子のＣＡ＿ｓｙｓｔｅｍ＿ＩＤが、前記設定値１０６に設定された元の限定受信方式識別の値である場合に、当該限定受信方式記述子、ＣＡサービス記述子のＣＡ＿ｓｙｓｔｅｍ＿ＩＤを、前記設定値１０６に設定された再送信後に用いる限定受信方式識別の値へ書き換えて、当該ＴＳを出力するＣＡＴ編集手段を行うＣＡＴ編集機能を示している。
【００２６】
１０７は、前記ＣＡＴ編集機能１０５からのＴＳおよび通知信号を入力とし、前記入力されたＴＳから、第１の記憶手段としての記憶部１０８に記憶されている監視対象ＰＩＤにより特定されるＥＭＭ個別メッセージを削除し、当該ＴＳを出力するＥＭＭ個別メッセージ削除手段を行うＥＭＭ個別メッセージ削除機能を示している。
【００２７】
１０８は、ＥＭＭ個別メッセージを特定するための監視対象ＰＩＤが記憶される第１の記憶手段としての記憶部である。
【００２８】
１０９は、前記ＥＭＭ個別メッセージ削除機能１０７からのＴＳおよび前記ＣＡＴ編集機能１０５からの通知信号を入力とし、前記入力されたＴＳに対して、個別情報ＴＳ生成・蓄積手段に蓄積された個別情報ＴＳ１１０を、第２の記憶手段としての記憶部１１１に記憶されたＰＩＤによって多重化し、該ＴＳを出力するＥＭＭ個別メッセージ追加手段を行うＥＭＭ個別メッセージ追加機能を示している。
【００２９】
１１０は、再送信後に用いるＥＭＭ個別メッセージのＴＳパケットおよびＰＣＲ（Ｐｒｏｇｒａｍ  Ｃｌｏｃｋ  ｒｅｆｅｒｅｎｃｅ）が多重化された個別情報ＴＳが生成・蓄積される個別情報ＴＳ生成・蓄積手段の個別情報ＴＳを示している。
【００３０】
１１１は、ＥＭＭ個別メッセージを多重化する際のＰＩＤが記憶される第２の記憶手段としての記憶部である。
【００３１】
１１２は、ＥＭＭ個別メッセージ追加機能１０９から送出されたＴＳをデジタル放送網／ＩＰネットワーク３００へ送出するＴＳ送出手段を行なうＴＳ送出機能を示している。
【００３２】
受信側装置２００内の２０１は、前記デジタル放送網／ＩＰネットワーク３００から送信されたＴＳを受信する受信手段の受信機能を示している。
【００３３】
２０２は、前記入力されたＴＳに含まれるＣＡＴ中の限定受信方式記述子のＣＡ＿ｓｙｓｔｅｍ＿ＩＤが、第２の設定手段の設定値２０３に設定された再送信後に用いる限定受信方式識別の値である場合に、当該限定受信方式記述子中のＣＡ＿ＰＩＤを出力し、前記入力されたＴＳに含まれるＣＡＴ中のＣＡサービス記述子のＣＡ＿ｓｙｓｔｅｍ＿ＩＤが、前記設定値２０３に設定された再送信後に用いる限定受信方式識別の値である場合に、当該ＣＡサービス記述子中の情報を出力するＣＡＴ処理手段が行うＣＡＴ処理機能を示している。
【００３４】
２０３は、ＣＡＴ中に配置される記述子のＣＡ＿ｓｙｓｔｅｍ＿ＩＤについて、再送信後に用いる限定受信方式識別の値が設定された第２の設定手段の設定値を示している。
【００３５】
２０４は、前記ＣＡＴ処理機能２０２からのＴＳおよび限定受信方式記述子中のＣＡ＿ＰＩＤを入力とし、ＴＳ中のＥＭＭ個別メッセージを特定し該メッセージを自動表示メッセージ制御機能２１０又はメール制御機能２１２に伝達する処理と、ＴＳをＥＭＭ共通メッセージ処理機能２０６へ出力する処理とを行う、ＥＭＭ個別メッセージ処理手段を行なうＥＭＭ個別メッセージ処理機能を示している。
【００３６】
２０５は、受信機ごとに一意となる、自身の対応するＣＡＳクライアント識別の値が設定される設定手段の設定値を示している。
【００３７】
２０７は、外部からのデフォルトメッセージ情報取得指示を受けたときに、前記デフォルトメッセージ情報サーバ５００と接続され、デフォルトメッセージ情報を取得し、第３の設定手段の設定値２０８に設定された情報および第３の記憶手段としての記憶部２０９に記憶されたデフォルトメッセージ情報に基づいてＥＭＭ個別メッセージを生成し、自動表示メッセージ制御機能２１０に出力する初期接続手段が行う初期接続機能を示している。
【００３８】
２１０は、初期接続機能２０７および前記ＥＭＭ個別メッセージ処理機能２０４からの自動表示メッセージ用のＥＭＭ個別メッセージを受信し、その事業体識別ごとに１つのメッセージを記憶部２１１に保存して管理する自動表示メッセージ制御手段を行う自動表示メッセージ機能を示している。
【００３９】
またこの自動表示メッセージ制御機能２１０は、前記ＥＭＭ共通メッセージ処理機能２０６からのＥＭＭ共通メッセージを受信し、記憶部２１１に保存されたＥＭＭ個別メッセージと組み合わせて自動表示メッセージを生成し、さらに前記ＣＡＴ処理機能２０２からのＣＡサービス記述子の情報を受信し後述の各種の表示制御を行う。
【００４０】
２１２は、前記ＥＭＭ個別メッセージ処理機能２０４からのメール用のＥＭＭ個別メッセージを受信し、記憶部２１３に保存して管理するメール制御手段が行うメール制御機能を示している。
【００４１】
またこのメール制御機能２１２は、前記ＥＭＭ共通メッセージ処理機能２０６からのＥＭＭ共通メッセージを受信し、記憶部２１３に保存されたメッセージと組み合わせてメールを生成し、視聴者の操作に応じて表示を行う。
【００４２】
２１４は、前記受信機能２０１から入力されたＴＳを再生し画面表示を行う再生手段の再生機能を示している。
【００４３】
次に送出側装置１００の機能ブロック毎の処理フローを説明する。  
【００４４】
再生機能１０２は番組コンテンツ１０１を再生し、ＣＡＴ編集機能１０５へＴＳを出力する。または、アンテナ１０３は放送波を受信し、チューナー１０４に放送波を出力し、チューナー１０４は入力された放送波をデジタル信号へ変換してＴＳとしてＣＡＴ編集機能１０５へ出力する。
【００４５】
ＣＡＴ編集機能１０５では、入力されたＴＳに含まれるＣＡＴ中の限定受信方式記述子及びＣＡサービス記述子のＣＡ＿ｓｙｓｔｅｍ＿ＩＤが、設定値１０６に事前に設定された元の限定受信方式識別の値であった場合に、同じく設定値１０６に事前に設定された再送信後に用いる限定受信方式識別の値への書き換え（上書き）を行い、その限定受信方式記述子のＣＡ＿ＰＩＤをＥＭＭメッセージ特定のためのＰＩＤとしてＥＭＭ個別メッセージ削除機能１０７及びＥＭＭ個別メッセージ追加機能１０９に通知する処理と、ＴＳのＥＭＭ個別メッセージ削除機能１０７への出力処理を実施する。
【００４６】
なお、ＣＡＴ中の記述子の編集を行なった場合にはそのＣＡＴのＣＲＣ（Ｃｙｃｌｉｃ  Ｒｅｄｕｎｄａｎｃｙ  Ｃｈｅｃｋ）誤り検出の再計算を行い、当該ＣＡＴ中のＣＲＣ＿３２に上書きする。
【００４７】
ＣＡＴ編集機能１０５の処理フロー例を図２とともに説明する。尚以下で説明する図２〜図６のフローチャートにおいて、「Ｓ」は各処理のステップを示すものとする。
【００４８】
Ｓ５０１：再生機能１０２もしくはチューナー１０４からＴＳの入力を受け、Ｓ５０２へ進む。
【００４９】
Ｓ５０２：Ｓ５０１にて入力されたＴＳのＣＡＴを読み取り、ＣＡ＿ｓｙｓｔｅｍ＿ＩＤが設定値１０６に設定された元の限定受信方式識別の値となっている限定受信方式記述子が配置されていることを検知した場合にはＳ５０３へ、そうでない場合にはＳ５０５へ進む。
【００５０】
Ｓ５０３：ＥＭＭ個別メッセージ削除機能１０７及びＥＭＭ個別メッセージ追加機能１０９へ、Ｓ５０２にて検知されたＣＡＴの限定受信方式記述子中のＣＡ＿ＰＩＤ（ＥＭＭメッセージを特定するためのＰＩＤ）を受け渡し、Ｓ５０４へ進む。
【００５１】
Ｓ５０４：Ｓ５０２にて検知されたＣＡＴの限定受信方式記述子中のＣＡ＿ｓｙｓｔｅｍ＿ＩＤを、設定値（１０６）に設定された再送信後に用いる限定受信方式識別の値へと書き換えを行い、Ｓ５０５へ進む。
【００５２】
Ｓ５０５：Ｓ５０１にて入力されたＴＳのＣＡＴを読み取り、ＣＡ＿ｓｙｓｔｅｍ＿ＩＤが設定値１０６に設定された元の限定受信方式識別の値となっているＣＡサービス記述子が配置されていることを検知した場合にはＳ５０６へ、そうでない場合にはＳ５０７へ進む。
【００５３】
Ｓ５０６：Ｓ５０５にて検知されたＣＡＴのＣＡサービス記述子中のＣＡ＿ｓｙｓｔｅｍ＿ＩＤを、設定値１０６に設定された再送信後に用いる限定受信方式識別の値への書き換えを行い、Ｓ５０７へ進む。
【００５４】
Ｓ５０７：ＥＭＭ個別メッセージ削除機能１０７へＴＳを出力する。
【００５５】
ＥＭＭ個別メッセージ削除機能１０７では、記憶部１０８に設定された監視対象ＰＩＤにて伝送されるＴＳパケットを読み取り、ＣＡＴ編集機能１０５から入力されるＴＳ中のＥＭＭ個別メッセージを特定し、ＥＭＭ個別メッセージの削除を行ない、ＴＳのＥＭＭ個別メッセージ追加機能１０９への出力処理を実施する。
【００５６】
ＥＭＭ個別メッセージの削除とは、例えばＥＭＭ個別メッセージを伝送するＴＳパケットをＮＵＬＬパケット（ＰＩＤが０ｘ１ＦＦＦのデータを内包しないダミーパケット）に置き換える処理にて実施される。なお、記憶部１０８には、ＥＭＭ個別メッセージを特定するための監視対象ＰＩＤを事前に手動で静的に設定しておく。ＣＡＴ編集機能１０５からＥＭＭメッセージを特定するためのＰＩＤ（ＣＡ＿ＰＩＤ）が通知された場合には、記憶部１０８に事前設定されたＥＭＭ個別メッセージを特定するための監視対象ＰＩＤに上書き設定することも出来る。また、ＥＭＭメッセージが伝送されるＰＩＤと同じＰＩＤにてＥＭＭ（個別情報）も伝送されるため、本機能でＥＭＭ個別メッセージを削除する際にＥＭＭ（個別情報）を同時に削除することも可能である。ＥＭＭ個別メッセージ削除機能１０７の処理フロー例を図３とともに説明する。
【００５７】
Ｓ６０１：ＣＡＴ編集機能１０５からＴＳの入力を受け、Ｓ６０２へ進む。
【００５８】
Ｓ６０２：Ｓ６０１にて入力されたＴＳの記憶部１０８に設定された監視対象ＰＩＤのＴＳパケットを読み取り、ＥＭＭ個別メッセージが配置されていることを検知した場合にはＳ６０３へ、そうでない場合にはＳ６０４へ進む。
【００５９】
Ｓ６０３：Ｓ６０２にて検知されたＥＭＭ個別メッセージのＴＳパケットを、ＮＵＬＬパケットへと置き換え、Ｓ６０４へ進む。
【００６０】
Ｓ６０４：ＥＭＭ個別メッセージ追加機能１０９へＴＳを出力する。
【００６１】
ＥＭＭ個別メッセージ追加機能１０９では、ＥＭＭ個別メッセージ削除機能１０７から入力されるＴＳに対して、あらかじめ個別情報ＴＳ１１０として生成・蓄積された再送信後に用いるＥＭＭ個別メッセージおよび後述のＰＣＲを多重化したＴＳを、記憶部１１１に設定されたＥＭＭ個別メッセージを多重化する際のＰＩＤにて多重化を行ない、ＴＳ送出機能１１２への出力処理を実施する。
【００６２】
ＴＳの多重化とは、例えばＮＵＬＬパケット等の受信機にて必要としないＴＳパケットを、個別情報ＴＳ１１０として蓄積されたＥＭＭ個別メッセージのＴＳパケットへと、記憶部１１１に設定されたＥＭＭ個別メッセージを多重化する際のＰＩＤを設定して置き換える処理にて実施される。なお、記憶部１１１には、ＥＭＭ個別メッセージを多重化する際のＰＩＤを事前に手動で静的に設定しておく。
【００６３】
ＣＡＴ編集機能１０５からＥＭＭメッセージを特定するためのＰＩＤが通知された場合には、記憶部１１１に事前設定されたＥＭＭ個別メッセージを多重化する際のＰＩＤに上書き設定することも出来る。個別情報ＴＳ１１０には、再送信用のＥＭＭ個別メッセージのＴＳパケットの情報だけでなく、ＥＭＭ個別メッセージ削除機能１０７から入力されるＴＳと同様にＰＣＲ（Ｐｒｏｇｒａｍ  Ｃｌｏｃｋ  ｒｅｆｅｒｅｎｃｅ：番組基準クロック）が多重化されており、各ＴＳパケットを順次読み出すことで、配置すべきタイミングについても取得可能である。ＰＣＲを参照しながら個別情報ＴＳ１１０を読み取り、各ＥＭＭ個別メッセージのＴＳパケットが配置されていた際に（各ＥＭＭ個別メッセージのＴＳパケットを配置すべきタイミングが来た際に）、ＥＭＭ個別メッセージ削除機能１０７から入力されるＴＳ中のＮＵＬＬパケットとの置き換え行なう。なお、個別情報ＴＳ１１０は必ずしも事前に蓄積されている必要は無く、リアルタイムに他のサーバから伝送され、入力される場合もある。ＥＭＭ個別メッセージ追加機能１０９の処理フロー例を図４とともに説明する。
【００６４】
Ｓ７０１：ＥＭＭ個別メッセージ削除機能１０７からＴＳの入力を受け、Ｓ４０２へ進む。
【００６５】
Ｓ７０２：ＥＭＭ個別メッセージ削除機能１０７から入力されるＴＳのＰＣＲ変化にあわせて個別情報ＴＳ１１０を読み取り、配置すべきＴＳパケットが存在するか否かを確認し、配置すべきタイミングのＥＭＭ個別メッセージのＴＳパケットが存在する場合はＳ７０３へ、存在しない場合はＳ７０４へ進む。
【００６６】
Ｓ７０３：Ｓ７０１にて入力されたＴＳのＮＵＬＬパケットを、個別情報ＴＳ１１０中の配置すべきタイミングのＥＭＭ個別メッセージのＴＳパケットへと、記憶部１１１に設定されたＥＭＭ個別メッセージを多重化する際のＰＩＤを設定して置き換え、Ｓ７０４へ進む。
【００６７】
Ｓ７０４：ＴＳ送出機能１１２へＴＳを出力する。
【００６８】
ＴＳ送出機能１１２は、入力されたＴＳをデジタル放送網／ＩＰネットワーク３００へ出力する。
【００６９】
次に、受信側装置２００の機能ブロック毎の処理フローを説明する。
【００７０】
ユーザー操作による手動実行や、受信側装置初回起動時の自動実行等により、外部より初期接続機能２０７にデフォルトメッセージ情報取得指示が出された際に、初期接続機能２０７はＩＰネットワーク４００経由で事前に設定値２０８に設定されたＵＲＩにてデフォルトメッセージ情報サーバ５００へＨＴＴＰＳ等の通信プロトコルで接続し、デフォルトメッセージ情報５０１を取得し、記憶部２０９に保存する。この保存されたデフォルトメッセージ情報５０１を用いてＥＭＭ個別メッセージを生成し、自動表示メッセージ制御機能２１０へと出力する。
【００７１】
前記デフォルトメッセージ情報５０１中にＥＭＭ個別メッセージのデータ構造の各項目に相当する全ての情報の記載が無い場合には、設定値２０８に事前設定されたＥＭＭ個別メッセージのデータ構造の各項目に相当する値にて代替し、ＥＭＭ個別メッセージを生成することが出来る。なお、デフォルトメッセージ情報は必ずしもＩＰネットワーク４００経由で取得する必要は無く、送出側装置１００のＴＳ送出機能１１２からＴＳに多重化された形にて配信される場合もある。初期接続機能２０７の処理フロー例を図５とともに説明する。
【００７２】
Ｓ１１０１：ユーザー操作等を契機にデフォルトメッセージ情報取得指示を受け取り、Ｓ１１０２へ進む。
【００７３】
Ｓ１１０２：記憶部２０９に既にデフォルトメッセージ情報５０１が保存されているかを確認し、保存されていない場合にはＳ１１０３へ、そうでない場合にはＳ１１０５へ進む。
【００７４】
Ｓ１１０３：設定値２０８に設定されたデフォルトメッセージ情報サーバ５００のＵＲＩへとＨＴＴＰＳにて接続し、デフォルトメッセージ情報５０１を取得し、Ｓ１１０４へ進む。
【００７５】
Ｓ１１０４：Ｓ１１０３にて取得されたデフォルトメッセージ情報５０１を記憶部２０９に保存し、Ｓ１１０５へ進む。
【００７６】
Ｓ１１０５：設定値２０８に設定されたＥＭＭ個別メッセージのデータ構造の各項目に相当する値に、Ｓ１１０４にて記憶部２０９に保存されたデフォルトメッセージ情報５０１中の各項目に相当する情報を上書きすることでＥＭＭ個別メッセージを生成し、自動表示メッセージ制御機能２１０へと出力する。
【００７７】
Ｓ１１０６：デフォルトメッセージ情報取得が完了した旨を画面表示等でユーザー通知する。
【００７８】
受信機能２０１はデジタル放送網／ＩＰネットワーク３００からＴＳを受信し、ＣＡＴ処理機能２０２及び再生機能２１４へ出力する。
【００７９】
ＣＡＴ処理機能２０２は受信機能２０１から入力されたＴＳに含まれるＣＡＴ中の限定受信方式記述子のＣＡ＿ｓｙｓｔｅｍ＿ＩＤが、自身の対応する限定受信方式識別の値（設定値２０３に事前に設定された再送信後に用いる限定受信方式識別の値）であった場合に、その限定受信方式記述子のＣＡ＿ＰＩＤをＥＭＭメッセージ特定のためのＰＩＤとしてＥＭＭ個別メッセージ処理機能２０４及びＥＭＭ共通メッセージ処理機能２０６に通知する処理と、ＴＳのＥＭＭ個別メッセージ処理機能２０４への出力処理を実施する。ＣＡＴ処理機能２０２の処理フロー例を図６とともに説明する。
【００８０】
Ｓ８０１：受信機能２０１からＴＳの入力を受け、Ｓ８０２へ進む。
【００８１】
Ｓ８０２：Ｓ８０１にて入力されたＴＳ中のＣＡＴを読み取り、ＣＡ＿ｓｙｓｔｅｍ＿ＩＤが設定値２０３に事前に設定された再送信後に用いる限定受信方式識別の値となっている限定受信方式記述子が配置されていることを検知した場合にはＳ８０３へ、そうでない場合にはＳ８０４へ進む。
【００８２】
Ｓ８０３：Ｓ８０２にて検知されたＣＡＴの限定受信方式記述子中のＣＡ＿ＰＩＤ（ＥＭＭメッセージを特定するためのＰＩＤ）を、ＥＭＭ個別メッセージ処理機能２０４及びＥＭＭ共通メッセージ処理機能２０６へ受け渡し、Ｓ８０４へ進む。
【００８３】
Ｓ８０４：Ｓ８０１にて入力されたＴＳ中のＣＡＴを読み取り、ＣＡ＿ｓｙｓｔｅｍ＿ＩＤが設定値２０３に事前に設定された再送信後に用いる限定受信方式識別の値となっているＣＡサービス記述子が配置されていることを検知した場合にはＳ８０５へ、そうでない場合にはＳ８０６へ進む。
【００８４】
Ｓ８０５：Ｓ８０４にて検知されたＣＡＴのＣＡサービス記述子中の情報（事業体識別、猶予期間、サービス識別）を、自動表示メッセージ制御機能２１０へ受け渡し、Ｓ８０６へ進む。
【００８５】
Ｓ８０６：ＥＭＭ個別メッセージ処理機能２０４へＴＳを出力する。
【００８６】
ＥＭＭ個別メッセージ処理機能２０４はＣＡＴ処理機能２０２から入力されたＴＳとＥＭＭメッセージ特定のためのＰＩＤにて伝送されるＴＳパケットを読み取り、ＴＳ中のＥＭＭ個別メッセージを特定し、そのＥＭＭ個別メッセージ中のＣＡＳクライアント識別が自身の対応する値（設定値２０５に事前に設定されたＣＡＳクライアント識別の値）と等しい場合に、そのＥＭＭ個別メッセージ中のメッセージ制御が自動表示メッセージ用であることを示す値の場合（値が０X０１となる場合）は自動表示メッセージ制御機能２１０に対して、そのＥＭＭ個別メッセージ中のメッセージ制御がメール用であることを示す値の場合（値が０X０２となる場合）はメール制御機能２１１に対して、それぞれ受信したＥＭＭ個別メッセージを伝達する処理と、ＴＳのＥＭＭ共通メッセージ処理機能２０６への出力処理を実施する。
【００８７】
ＥＭＭ共通メッセージ処理機能２０６はＥＭＭ個別メッセージ処理機能２０４から入力されたＴＳと、ＣＡＴ処理機能２０２から入力されたＥＭＭメッセージ特定のためのＰＩＤにて伝送されるＴＳパケットを読み取り、ＥＭＭ共通メッセージを特定し、自動表示メッセージ制御機能２１０及びメール制御機能２１２の両方に対して、受信したＥＭＭ共通メッセージを伝達する処理を実施する。
【００８８】
自動表示メッセージ制御機能２１０は、初期接続機能２０７及びＥＭＭ個別メッセージ処理機能２０４より、自動表示メッセージ用のＥＭＭ個別メッセージを受信し、その事業体識別ごとに１つのメッセージを記憶部２１１に保存する。既にＥＭＭ個別メッセージが保存され、記憶部２１１に存在する場合に新しい情報を取得した場合は、元の情報に上書き保存することで、表示すべき自動表示メッセージとしてＥＭＭ個別メッセージは事業体識別ごとにただひとつが管理される。  また、ＥＭＭ共通メッセージ処理機能２０６より、ＥＭＭ共通メッセージを受信し、記憶部２１１に保存されたＥＭＭ個別メッセージと組み合わせることで、自動表示メッセージを生成し、再生機能２１４にて再生される画面にスーパーインポーズ表示を行なう。なお、ＣＡＴ処理機能２０２より、ＣＡサービス記述子の情報を受信し、それを用いてサービス毎の自動表示メッセージ表示要否の制御を行う。
【００８９】
メール制御機能２１２は、ＥＭＭ個別メッセージ処理機能２０４より、メール用のＥＭＭ個別メッセージを受信し、記憶部２１３に保存する。この際、複数のＥＭＭ個別メッセージを保存することが想定されるが、保存可能な上限数を超えた場合には、古いものから削除し、新しく受信したものを優先して保存を行う。  また、ＥＭＭ共通メッセージ処理機能２０６より、ＥＭＭ共通メッセージを受信し、記憶部２１３に保存されたメッセージと組み合わせることで、メールを生成し、視聴者の操作に応じて表示を行なう。
【００９０】
再生機能２１４は、受信機能２０１から入力されたＴＳを再生し、画面表示を行なう。
【００９１】
これにより、ＥＭＭメッセージ運用を行なうデジタル放送を再送信する際に、異なる限定受信方式を用いる場合にも、従来と同等の自動表示メッセージ及びメールの運用を行うことができる。
【００９２】
また、デジタル放送における自動表示メッセージ運用において、初期状態での同一自動表示メッセージ表示の柔軟な運用変更が可能となる。
【００９３】
次に、ＩＰ同時再送信、または事前蓄積型ＩＰ再送信において、ＥＭＭメッセージ運用を行なうデジタル放送を再送信する際に、異なる限定受信方式を用いる場合にも、従来と同等の自動表示メッセージ及びメールの運用を行うことができ、初期状態での同一自動表示メッセージ表示の柔軟な運用変更が可能となる本発明の実施例を示す。
【００９４】
（実施例１）
本発明をＩＰ同時再送信で利用した場合、図７に示すように、放送局設備９０１、デジタル放送波９０２、ＩＰ化送出サーバ９０３、マルチキャストストリーム９０４、受信機９０５、デフォルトメッセージ情報サーバ９０６から構成される。
【００９５】
放送局設備９０１では放送番組を含んだデジタル放送波９０２を送る機能を有する。ＩＰ化送出サーバ９０３は、図１の送出側装置１００を備え、デジタル放送波９０２を受け、デジタル放送波９０２を、マルチキャストストリーム９０４に変換して送出する機能を有する。受信機９０５は、図１の受信側装置２００を備え、マルチキャストストリーム９０４を受信し、再生・表示できる機能に加え、図１のデフォルトメッセージ情報サーバ５００と同様に構成されたデフォルトメッセージ情報サーバ９０６からデフォルトメッセージ情報を取得できる機能を有する。
【００９６】
以下、ＩＰ同時再送信での本実施例におけるシステムの動作について記述する。
（１）放送局設備９０１からは放送番組の情報をのせたデジタル放送波９０２を送る。
（２）ＩＰ化送出サーバ９０３は、放送波９０２を受信し、図１で説明した送信側装置１００の処理を行い、マルチキャストストリーム９０４へ変換し送出する。すなわち、ＣＡＴの編集を行い、さらに元の放送信号中のＥＭＭ個別メッセージを削除し、別途再送信後に用いる限定受信方式に対応したＥＭＭ個別メッセージを新たに追加して伝送を行う。
（３）受信機９０５では、初期設定時にデフォルトメッセージ情報サーバ９０６からデフォルトメッセージ情報を取得し、ＩＰ化送出サーバ９０３からマルチキャストストリーム９０４を受け、図１で説明した受信側装置２００の処理を行い、自動表示メッセージ及びメールの表示を行なう。
【００９７】
（実施例２）
本発明を事前蓄積型ＩＰ再送信で利用した場合、図８に示すように、ＩＰ化送出サーバ１００１、マルチキャストストリーム１００２、受信機１００３、デフォルトメッセージ情報サーバ１００４から構成される。
【００９８】
ＩＰ化送出サーバ１００１は、図１の送出側装置１００を備え、事前に蓄積したＴＳをマルチキャストストリーム１００２に変換して送出する機能を有する。受信機１００３は、図１の受信側装置２００を備え、マルチキャストストリーム１００２を受信し、再生・表示できる機能に加え、図１のデフォルトメッセージ情報サーバ５００と同様に構成されたデフォルトメッセージ情報サーバ１００４からデフォルトメッセージ情報を取得できる機能を有する。
【００９９】
以下、事前蓄積型ＩＰ再送信での本実施例におけるシステム動作について記述する。
（１）ＩＰ化送出サーバ１００１は事前に蓄積したＴＳを、図１で説明した送信側装置１００の処理を行い、マルチキャストストリーム１００２へ変換し送出する。すなわち、ＣＡＴの編集を行い、さらに元の放送信号中のＥＭＭ個別メッセージを削除し、別途再送信後に用いる限定受信方式に対応したＥＭＭ個別メッセージを新たに追加して伝送を行う。
（２）受信機１００３では、初期設定時にデフォルトメッセージ情報サーバ１００４からデフォルトメッセージ情報を取得し、ＩＰ化送出サーバ１００１からマルチキャストストリーム１００２を受け、図１で説明した受信側装置２００の処理を行い、自動表示メッセージ及びメールの表示を行なう。
【０１００】
また、本実施形態のデジタル放送再送信におけるＥＭＭメッセージ配信システムにおける各手段の一部もしくは全部の機能をコンピュータのプログラムで構成し、そのプログラムをコンピュータを用いて実行して本発明を実現することができること、本実施形態のデジタル放送再送信におけるＥＭＭメッセージ配信方法における手順をコンピュータのプログラムで構成し、そのプログラムをコンピュータに実行させることができることは言うまでもなく、コンピュータでその機能を実現するためのプログラムを、そのコンピュータが読み取り可能な記録媒体、例えばＦＤ（Ｆｌｏｐｐｙ（登録商標）  Ｄｉｓｋ）や、ＭＯ（Ｍａｇｎｅｔｏ−Ｏｐｔｉｃａｌ  ｄｉｓｋ）、ＲＯＭ（Ｒｅａｄ  Ｏｎｌｙ  Ｍｅｍｏｒｙ）、メモリカード、ＣＤ（Ｃｏｍｐａｃｔ  Ｄｉｓｋ）−ＲＯＭ、ＤＶＤ（Ｄｉｇｉｔａｌ  Ｖｅｒｓａｔｉｌｅ  Ｄｉｓｋ）−ＲＯＭ、ＣＤ−Ｒ、ＣＤ−ＲＷ、ＨＤＤ、リムーバブルディスクなどに記録して、保存したり、配布したりすることが可能である。また、上記のプログラムをインターネットや電子メールなど、ネットワークを通して提供することも可能である。
【符号の説明】
【０１０１】
１００…送出側装置
１０１…番組コンテンツ
１０２…再生機能
１０３…アンテナ
１０４…チューナー
１０５…ＣＡＴ編集機能
１０６，２０３，２０５，２０８…設定値
１０７…ＥＭＭ個別メッセージ削除機能
１０８，１１１，２０９，２１１，２１３…記憶部
１０９…ＥＭＭ個別メッセージ追加機能
１１０…個別情報ＴＳ
１１２…ＴＳ送出機能
２００…受信側装置
２０１…受信機能
２０２…ＣＡＴ処理機能
２０４…ＥＭＭ個別メッセージ処理機能
２０６…ＥＭＭ共通メッセージ処理機能
２０７…初期接続機能
２１０…自動表示メッセージ制御機能
２１２…メール制御機能
３００…デジタル放送網／ＩＰネットワーク
４００…ＩＰネットワーク
５００，９０６，１００４…デフォルトメッセージ情報サーバ
９０３，１００１…ＩＰ化送出サーバ
９０４，１００２…マルチキャストストリーム
９０５，１００３…受信機
【図１】
2010246017.tif 000003
【図２】
2010246017.tif 000004
【図３】
2010246017.tif 000005
【図４】
2010246017.tif 000006
【図５】
2010246017.tif 000007
【図６】
2010246017.tif 000008
【図７】
2010246017.tif 000009
【図８】
2010246017.tif 000010
【図９】
2010246017.tif 000011
【図１０】
2010246017.tif 000012
【図１１】
2010246017.tif 000013
【図１２】
2010246017.tif 000014
【図１３】
2010246017.tif 000015